(57)【要約】      （修正有）【課題】手軽に鏡面を高所に位置させることが出来るとともに、設置面に対する鏡面の角度を簡単に調整することが可能な折り畳み式スタンドミラーを提供する。【解決手段】折り畳み式スタンドミラー１は、鏡面１０と、第一の裏面板材１１と、第二の裏面板材１２と、表面板材１３と、支持用板材１４と、複数の係止部１５と、第一の着脱部材１６と、第二の着脱部材１７と、を備える。前記表面板材１３を第二の連結部材１９を介して前記鏡面１０の表面から開いて、第一の連結部材１８を回転軸として前記第一の裏面板材１１を前記第二の裏面板材１２に当接し、前記第一の着脱部材１６を前記第二の着脱部材１７に接着して、前記鏡面１０を立位させ、第三の連結部材２０を回転軸として前記支持用板材１４の他端部１４ｂを、前記複数の係止部１５のいずれかに係止させることで、前記第二の裏面板材１２と前記支持用板材１４とを人の字状にして、前記鏡面１０を固定する。【選択図】図４
2018164591.tif 000002
【特許請求の範囲】
【請求項１】
長方形状の鏡面と、
一端部が、前記鏡面の長手方向の一端部に対応し、長手方向の長さが、前記鏡面の長手方向の長さの１／１０〜１／５の範囲内であり、前記鏡面の裏面に固定された第一の裏面板材と、
一端部が、前記第一の裏面板材の他端部と第一の連結部材により回動可能に連結され、前記鏡面の裏面のうち、前記第一の裏面板材が覆った部分以外の残りの部分を覆う第二の裏面板材と、
一端部が、前記第二の裏面板材の他端部と第二の連結部材により回動可能に連結され、前記鏡面の表面を覆う表面板材と、
前記第二の裏面板材と同等の形状を有し、一端部が、前記第二の裏面板材の一端部と第三の連結部材により回動可能に連結され、前記鏡面と前記第二の裏面板材との間に収納される支持用板材と、
前記表面板材の裏面に、前記表面板材の一端部から他端部までに所定の間隔を空けて、前記支持用板材の他端部を係止可能な凹状をそれぞれ形成している複数の係止部と、
前記第一の裏面板材の裏面に設けられた第一の着脱部材と、
前記第二の裏面板材の裏面で、且つ、前記第一の着脱部材に接近して設けられた第二の着脱部材と、
を備え、
使用時に、前記表面板材を前記第二の連結部材を介して前記鏡面の表面から開いて、前記第一の連結部材を回転軸として前記第一の裏面板材を前記第二の裏面板材に当接し、前記第一の着脱部材を前記第二の着脱部材に接着して、前記鏡面を立位させ、前記第三の連結部材を回転軸として前記支持用板材の他端部を、前記複数の係止部のいずれかに係止させることで、前記第二の裏面板材と前記支持用板材とを人の字状にして、前記鏡面を固定する
折り畳み式スタンドミラー。
【請求項２】
前記鏡面と前記第一の裏面板材との間に、前記第一の裏面板材と同一のサイズで、所定の厚みを有する調整用板材を設け、前記第一の裏面板材と前記第二の裏面板材との段差を無く
請求項１に記載の折り畳み式スタンドミラー。
【発明の詳細な説明】
【技術分野】
【０００１】
本発明は、折り畳み式スタンドミラーに関する。
【背景技術】
【０００２】
従来、鏡を高所に位置出来る折り畳み式スタンドミラーの技術は多数存在する。例えば、特開平９−２２０１４１号公報（特許文献１）には、収容部を備えた偏平なベース部材と、主支持脚と副支持脚とからなるスタンド部材および一方の面に鏡板を備えた鏡部材でもって折り畳み式鏡を構成し、ベース部材の一端部にスタンド部材の一端部を枢着するとともにスタンド部材の他端部に鏡部材を枢着結合し、折り畳むとスタンド部材および鏡部材をベース部材の収容部に収容でき、使用時には、ベース部材の底面上にスタンド部材の主支持脚と副支持脚とが人字状をなして立設でき、その上に鏡部材が支持された形態となるように構成した折り畳み式スタンド鏡が開示されている。
【０００３】
又、特開２００５−１５２０８５号公報（特許文献２）には、中空の台部材と、台部材の下端に回動自在に枢結された受け部材と、台部材に上下動自在に装備された平板状の支持部材と、前面に鏡板を有する鏡枠とを含む携帯用鏡が開示されている。この携帯用鏡は、台部材の後方に受け部材を回動したとき、受け部材で机上に台部材を後傾の起立姿勢に受け止めることが出来る。支持部材は、台部材の内部に納まる退入姿勢と、台部材の上方に引き上げられた突出姿勢との間にわたって切り換え操作可能である。支持部材の上端に鏡枠の下端が回動操作可能に連結されている。台部材の前面に受け部材が折り畳み可能であり、支持部材を退入姿勢にした状態において、鏡枠が台部材の前面に折り畳んだ受け部材上に折り重ね可能である。
【０００４】
一方、本出願人は、簡単な構成で、設置台よりも鏡面の位置を高所に固定することが可能な折り畳み式スタンドミラーを特許出願し（特開２０１６−１２３７９１号公報）（特許文献３）、権利化している（特許第５７６４８５３号）（特許文献４）。
【先行技術文献】
【特許文献】
【０００５】
【特許文献１】特開平９−２２０１４１号公報
【特許文献２】特開２００５−１５２０８５号公報
【特許文献３】特開２０１６−１２３７９１号公報
【特許文献４】特許第５７６４８５３号
【発明の概要】
【発明が解決しようとする課題】
【０００６】
近年、折り畳み式スタンドミラーの業界では、高所に固定可能で、且つ、手軽に利用出来る折り畳み式スタンドミラーが求められている。
【０００７】
特許文献１に記載の技術では、副支持脚の下端縁をベース部材の後壁の内面に当接させることで、スタンド部材の後退動を阻止する構成であり、主支持脚と副支持脚との間の角度が固定されるため、この角度（設置面に対する鏡板の角度）を調整することが出来ないという課題がある。
【０００８】
特許文献２に記載の技術では、鏡枠を支持部材に節度をもって枢結することにより、支持部材上に鏡枠を起立させた状態において、鏡枠を任意の角度に維持出来るとしているものの、枢結はメーカー側で予め行われるため、ユーザーが自分の使用環境に合わせて鏡枠の角度を調整することが出来ないという課題がある。
【０００９】
又、特許文献３、４に記載の技術では、ユーザーの好みに応じて２種類の使用形態を選択出来るものの、上述と同様に、設置面に対する鏡面の角度を調整することが出来ないという課題がある。
【００１０】
そこで、本発明は、前記課題を解決するためになされたものであり、手軽に鏡面を高所に位置させることが出来るとともに、ユーザーの操作により設置面に対する鏡面の角度を簡単に調整することが可能な折り畳み式スタンドミラーを提供することを目的とする。
【課題を解決するための手段】
【００１１】
本発明者は、鋭意研究を重ねた結果、本発明に係る新規な折り畳み式スタンドミラーを完成させた。即ち、本発明は、鏡面と、第一の裏面板材と、第二の裏面板材と、表面板材と、支持用板材と、複数の係止部と、第一の着脱部材と、第二の着脱部材と、を備える。鏡面は、長方形状であり、第一の裏面板材は、一端部が、前記鏡面の長手方向の一端部に対応し、長手方向の長さが、前記鏡面の長手方向の長さの１／１０〜１／５の範囲内であり、前記鏡面の裏面に固定されている。第二の裏面板材は、一端部が、前記第一の裏面板材の他端部と第一の連結部材により回動可能に連結され、前記鏡面の裏面のうち、前記第一の裏面板材が覆った部分以外の残りの部分を覆い、表面板材は、一端部が、前記第二の裏面板材の他端部と第二の連結部材により回動可能に連結され、前記鏡面の表面を覆う。支持用板材は、前記第二の裏面板材と同等の形状を有し、一端部が、前記第二の裏面板材の一端部と第三の連結部材により回動可能に連結され、前記鏡面と前記第二の裏面板材との間に収納され、複数の係止部は、前記表面板材の裏面に、前記表面板材の一端部から他端部までに所定の間隔を空けて、前記支持用板材の他端部を係止可能な凹状をそれぞれ形成している。第一の着脱部材は、前記第一の裏面板材の裏面に設けられ、第二の着脱部材は、前記第二の裏面板材の裏面で、且つ、前記第一の着脱部材に接近して設けられる。本発明は、使用時に、前記表面板材を前記第二の連結部材を介して前記鏡面の表面から開いて、前記第一の連結部材を回転軸として前記第一の裏面板材を前記第二の裏面板材に当接し、前記第一の着脱部材を前記第二の着脱部材に接着して、前記鏡面を立位させ、前記第三の連結部材を回転軸として前記支持用板材の他端部を、前記複数の係止部のいずれかに係止させることで、前記第二の裏面板材と前記支持用板材とを人の字状にして、前記鏡面を固定する。
【発明の効果】
【００１２】
本発明によれば、手軽に鏡面を高所に位置させることが出来るとともに、ユーザーの操作により設置面に対する鏡面の角度を簡単に調整することが可能となる。
【図面の簡単な説明】
【００１３】
【図１】本発明の実施形態に係る折り畳み式スタンドミラーの平面図及び正面図である。
【図２】本発明の実施形態に係る折り畳み式スタンドミラーの底面図、左側面図及び右側面図である。
【図３】本発明の実施形態に係る折り畳み式スタンドミラーの使用形態の手順を示す図である。
【図４】本発明の実施形態に係る折り畳み式スタンドミラーの使用形態の手順を示す図である。
【図５】本発明の実施形態に係る折り畳み式スタンドミラーの鏡面の角度が急な場合を示す図である。
【図６】本発明の実施形態に係る折り畳み式スタンドミラーの鏡面の角度が程よい場合を示す図である。
【図７】本発明の実施形態に係る折り畳み式スタンドミラーの鏡面の角度が緩やかな場合を示す図である。
【図８】本発明の実施形態に係る折り畳み式スタンドミラーの設置面に対する高さ関係を示す図である。
【図９】本発明の実施形態に係る折り畳み式スタンドミラーの作成手順を示す図である。
【図１０】本発明の実施形態に係る折り畳み式スタンドミラーの試作品の使用形態の手順を示す斜視写真である。
【図１１】本発明の実施形態に係る折り畳み式スタンドミラーの試作品の使用形態の手順を示す斜視写真である。
【図１２】本発明の実施形態に係る折り畳み式スタンドミラーの改良版の正面図（図１２Ａ）と、本発明の実施形態に係る折り畳み式スタンドミラーの改良版の試作品の複数の斜視写真（図１２Ｂ）と、である。
【発明を実施するための形態】
【００１４】
以下に、添付図面を参照して、本発明の実施形態について説明し、本発明の理解に供する。尚、以下の実施形態は、本発明を具体化した一例であって、本発明の技術的範囲を限定する性格のものではない。
【００１５】
図１は、本発明の実施形態に係る折り畳み式スタンドミラーの平面図及び正面図である。図２は、本発明の実施形態に係る折り畳み式スタンドミラーの底面図、左側面図及び右側面図である。尚、本発明の実施形態に係る折り畳み式スタンドミラーの背面図は、正面図と左右対称に表れるため、省略している。
【００１６】
本発明に係る折り畳み式スタンドミラー１は、鏡面１０と、第一の裏面板材１１と、第二の裏面板材１２と、表面板材１３と、支持用板材１４と、複数の係止部１５と、第一の着脱部材１６と、第二の着脱部材１７と、を備える。
【００１７】
鏡面１０は、長方形状であり、第一の裏面板材１１は、一端部１１ａが、前記鏡面１０の長手方向の一端部１０ａに対応し、長手方向の長さが、前記鏡面１０の長手方向の長さＬ１の１／１０〜１／５の範囲内であり、前記鏡面１０の裏面に固定される。第二の裏面板材１２は、一端部１２ａが、前記第一の裏面板材１１の他端部１１ｂと第一の連結部材１８により回動可能に連結され、前記鏡面１０の裏面のうち、前記第一の裏面板材１１が覆った部分以外の残りの部分を覆い、表面板材１３は、一端部１３ａが、前記第二の裏面板材１２の他端部１２ｂと第二の連結部材１９により回動可能に連結され、前記鏡面１０の表面を覆う。
【００１８】
支持用板材１４は、前記第二の裏面板材１２と同等の形状を有し、一端部１４ａが、前記第二の裏面板材１２の一端部１２ａと第三の連結部材２０により回動可能に連結され、前記鏡面１０と前記第二の裏面板材１２との間に収納され、複数の係止部１５は、前記表面板材１３の裏面に、前記表面板材１３の一端部１３ａから他端部１３ｂまでに所定の間隔ｇを空けて、前記支持用板材１４の他端部１４ｂを係止可能な凹状をそれぞれ形成している。
【００１９】
第一の着脱部材１６は、前記第一の裏面板材１１の裏面に設けられ、第二の着脱部材１７は、前記第二の裏面板材１２の裏面で、且つ、前記第一の着脱部材１６に接近して設けられている。
【００２０】
そして、使用時に、図３に示すように、前記表面板材１３を前記第二の連結部材１９を介して前記鏡面１０の表面から開いて、図４に示すように、前記第一の連結部材１８を回転軸として前記第一の裏面板材１１を前記第二の裏面板材１２に当接し、前記第一の着脱部材１６を前記第二の着脱部材１７に接着して、前記鏡面１０を立位させ、前記第三の連結部材２０を回転軸として前記支持用板材１４の他端部１４ｂを、前記複数の係止部１５のいずれかに係止させることで、前記第二の裏面板材１２と前記支持用板材１４とを人の字状にして、前記鏡面１０を固定する。
【００２１】
これにより、本発明では、第二の裏面板材１２と支持用板材１４とを台にして、鏡面１０を表面板材１３（設置面）から高所に位置させることが可能となるため、ユーザーは、使用時に、鏡面１０に向かって前屈みになって使用する必要が無く、自然な姿勢で鏡面１０の表面に自身の顔を対面させることが可能となる。つまり、鏡面１０を高所に位置させることで、鏡面１０へのユーザーの目線が高くなり、自然な姿勢で鏡面１０を見ることが出来て、ユーザーは自然な姿勢で化粧や手入れをすることが可能となる。一方、鏡面が設置面に置かれると、鏡面へのユーザーの目線が低くなり、前屈みにならないと鏡面を見ることが出来なくなる。本発明では、楽な姿勢で鏡面１０を見ることが出来る。
【００２２】
又、本発明では、表面板材１３を開き、鏡面１０を立てる操作をするだけで、支持用板材１４が現れるため、ユーザーは、直感的に、支持用板材１４の他端部１４ｂを表面板材１３の係止部１５に係止させて、鏡面１０を立脚させることが出来るため、従来の高所用の折り畳み式スタンドミラーと比較して、ユーザーの操作性に優れ、手軽に鏡面１０を絞所に位置させることが出来る。
【００２３】
更に、本発明では、複数の係止部１５を設けることで、ユーザーの操作により設置面に対する鏡面１０の角度を簡単に調整することが可能となる。例えば、複数の係止部１５が、表面板材１３の中央近傍から他端部１３ｂまで所定の間隔ｇを空けて３つ設けられている場合、ユーザーが鏡面１０を立位させた後に、支持用板材１４の他端部１４ｂを、近位の第一の係止部１５ａに係止させると、図５に示すように、設置面に対する鏡面１０の角度θ１を直角に近い角度にして、鏡面１０を急に傾斜させることが出来る。
【００２４】
又、ユーザーが、支持用板材１４の他端部１４ｂを、中央の第二の係止部１５ｂに係止させると、図６に示すように、設置面に対する鏡面１０の角度θ２を４５度に近い角度にして、鏡面１０を程よく傾斜させることが出来る。更に、ユーザーが、支持用板材１４の他端部１４ｂを、遠位の第三の係止部１５ｃに係止させると、図７に示すように、設置面に対する鏡面１０の角度θ３を４５度より小さい角度にして、鏡面１０を緩やかに傾斜させることが出来る。
【００２５】
このように、ユーザーは、設置面の高低等、自分の使用環境に合わせて、高所にある鏡面１０の角度θを簡単に調整することが出来るため、鏡面１０に対して前屈みになることなく、自然な姿勢で鏡面１０を使用することが出来る。
【００２６】
特に、本発明では、第一の着脱部材１６と第二の着脱部材１７とにより、第一の裏面板材１１を第二の裏面板材１２に接着することで、鏡面１０が第二の裏面板材１２に固定される。そのため、支持用板材１４の係止位置を変更しても、鏡面１０が自重により後方に転倒することなく、当該鏡面１０を安定して立脚させることが可能となる。
【００２７】
尚、不使用時は、図３、図４の手順と逆の手順で、表面板材１３を鏡面１０の表面に覆えば、本発明を折り畳んでコンパクトに収納することが可能となる。
【００２８】
ここで、第一の裏面板材１１と、第二の裏面板材１２と、表面板材１３と、支持用板材１４との材質に特に限定は無いが、鏡面１０を支える台となることから、所定の剛性を有する材質であると好ましい。材質として、例えば、例えば、樹脂、金属、厚紙、木材等を挙げることが出来る。
【００２９】
又、第一の裏面板材１１の長さＬ２は、鏡面１０の長手方向の長さＬ１の１／１０〜１／５の範囲内であれば、特に限定は無い。図８に示すように、第一の裏面板材１１の長さＬ２が短い程、第二の裏面板材１２の長さＬ３が長くなり、第二の裏面板材１２と支持用板材１４との人の字によって鏡面１０の高さｈが高くなる。そのため、鏡面１０の高さｈを高く設定したい場合には、第一の裏面板材１１の長さＬ２を短く設定すれば良いが、短すぎると、鏡面１０を支持するための第一の裏面板材１１と第二の裏面板材１２との接触面積が小さくなり、鏡面１０が自重により後方に転倒し易くなる。従って、鏡面１０を安定して立脚させるためには、第一の裏面板材１１の長さＬ２は、鏡面１０の長手方向の長さＬ１の１／９〜１／６の範囲内であると特に好ましい。具体的には、鏡面１０の長手方向の長さＬ１が１８ｃｍの場合、第一の裏面板材１１の長さＬ２は２ｃｍ〜３ｃｍの範囲内となる。
【００３０】
又、第一の着脱部材１６と第二の着脱部材１７の種類に特に限定は無く、例えば、マグネット、面ファスナー、スナップボタン等を採用することが出来る。第一の着脱部材１６と第二の着脱部材１７の形状は、円形、多角形、長方形等を採用することが出来る。第一の着脱部材１６と第二の着脱部材１７が、板状のマグネットの場合、内蔵されても良い。例えば、図２に示すように、第一の着脱部材１６は、円形の板状のマグネットであり、第一の裏面板材１１の短手方向の両端近傍の内部にそれぞれ１つずつ設けられ、第二の着脱部材１７も、第一の着脱部材１６と同様に、円形の板状のマグネットであり、第二の裏面板材１２の一端部１２ａ側で、第一の着脱部材１６に対向し、第二の裏面板材１２の短手方向の両端近傍の内部にそれぞれ１つずつ設けられている。第一の着脱部材１６と第二の着脱部材１７が内蔵されることで、美的外観が向上する。
【００３１】
又、第一の連結部材１８、第二の連結部材１９、第三の連結部材２０の材質に特に限定は無く、例えば、布、樹脂、ゴム等の面状部材を隣接する二つの板材の端部にそれぞれ貼り付けることで接続しても良い。又、第一の裏面板材１１、第二の裏面板材１２、表面板材１３をこの順番で直列に配置して、これらを包装布或いは包装シートで包んで、第一の裏面板材１１と第二の裏面板材１２との間の第一の連結部材１８と、第二の裏面板材１２と表面板材１３との間の第二の連結部材１９とを構成しても良い。この場合、支持用板材１４の一端部１４ａに貼り付けた連結用布又は連結用シートを第二の裏面板材１２の表面に更に貼り付けることで、第二の裏面板材１２と支持用板材１４との間の第三の連結部材２０を構成しても良い。
【００３２】
又、係止部１５の構成に特に限定は無いが、例えば、図１、図３、図４に示すように、所定の間隔ｇに対応するサイズを有する複数の板材２１を表面板材１３の裏面に、係止部１５の凹部のサイズに対応する間隔を空けて直列に固定することで、表面板材１３の裏面に複数の係止部１５をそれぞれ形成させても良い。
【００３３】
ここで、係止部１５の位置は、設置面に対する鏡面１０の角度θに関係しており、係止部１５が表面板材１３の一端部１３ａの近傍に設けられると、設置面に対する鏡面１０の角度θは直角に近くなり、係止部１５が表面板材１３の他端部１３ｂの近傍に設けられると、設置面に対する鏡面１０の角度θは０度に近くなる。そのため、複数の係止部１５のうち、第一の係止部１５ａは、表面板材１３の一端部１３ａの近傍に設けられ、第二の係止部１５ｃは、表面板材１３の他端部１３ｂの近傍に設けられると、ユーザーは鏡面１０の角度θの調整を幅広く行うことが出来るため、好ましい。更に、第三の係止部１５ｂが設けられる場合は、第一の係止部１５ａと第二の係止部１５ｃとの間のいずれかの位置に設けられると好ましい。第四の係止部１５も同様である。
【００３４】
又、折り畳み式スタンドミラー１の作成方法に特に限定は無く、例えば、以下の方法により作成される。先ず、図９に示すように、例えば、縦１８．０ｃｍ、横１３．０ｃｍ、厚み０．３ｃｍの鏡面１０に対して、縦２．０ｃｍ、横１３．０ｃｍ、厚み０．２ｃｍの第一の裏面板材１１と、縦１５．０ｃｍ、横１３．０ｃｍ、厚み０．２ｃｍの第二の裏面板材１２と、縦１８．０ｃｍ、横１３．０ｃｍ、厚み０．２ｃｍの表面板材１３とを用意する。第一の裏面板材１１には、第一の着脱部材１６のマグネットを埋め込み、第二の裏面板材１２には、第二の着脱部材１７のマグネットを埋め込んでおく。次に、第一の裏面板材１１と第二の裏面板材１２との間に１．０ｃｍの第一の間隔ｇ１を設け、第二の裏面板材１２と表面板材１３との間に１．５ｃｍの第二の間隔ｇ２を設ける。
【００３５】
そして、この状態の第一の裏面板材１１と第二の裏面板材１２と表面板材１３とを、縦３８．０ｃｍ以上、横１３．０ｃｍ以上の一枚の布２２で覆って固定し、第一の裏面板材１１と第二の裏面板材１２と表面板材１３とを一体化する。第一の間隔ｇ１は、第一の連結部材１８を構成し、第二の間隔ｇ２は、第二の連結部材１９を構成する。
【００３６】
一方、縦１５．０ｃｍ、横１３．０ｃｍ、厚み０．２ｃｍの支持用板材１４と、縦１５．０ｃｍ以上、横１３．０ｃｍ、厚み０．１ｃｍの片面の接着シート２３を用意し、支持用板材１４の一端部１４ａに貼り付けた接着シート２３を第二の裏面板材１２の表面に貼り付けることで、第二の裏面板材１２と支持用板材１４とを連結する。第二の裏面板材１２と支持用板材１４との間の接着シート２３は、第三の連結部材２０を構成する。
【００３７】
更に、鏡面１０の一端部１０ａを第一の裏面板材１１の表面のみに接着剤等で接着するとともに、別途用意した縦３．５ｃｍ、横１３．０ｃｍ、厚み０．１ｃｍの３枚の板材２１を表面板材１３の他端部１３ｂから、係止部１５の凹部のサイズに対応する間隔ｇ３を空けて直列に固定することで、本発明に係る折り畳み式スタンドミラー１が完成する。
【００３８】
ここで、布２２の表面及び裏面に、ユーザーの好みに応じた模様や色彩を設けると、ユーザー独自の折り畳み式スタンドミラー１を作成することが出来る。例えば、図１０に示すように、布の表面（外面）を黒地に白のラインを設けた第一の模様とし、布の裏面（内面）を、第一の模様と異なる菱形の第二の模様とすることで、折り畳み式スタンドミラー１の商品価値を高めることが出来る。図１１に示すように、高所に位置する鏡面の角度を容易に調整することが出来る。
【００３９】
本発明は、不使用時に表面板材１３を鏡面１０の表面に覆えば、カバンやバッグに容易に収容して携帯することが可能であり、大量に作成した場合であっても、手芸教室、美容教室等の収納庫にコンパクトに保管することが出来る。特に、本発明では、Ｂ６等の小型サイズの折り畳み式スタンドミラーとして有効であり、鏡面を高所に位置させ、且つ、鏡面の角度を調整出来る点は、従来品と比較して付加価値が高い。
【００４０】
本発明では、部品点数が少ないため、コストパフォーマンスに優れ、構成が極めて簡単で、誰でも簡単に作成することが出来る。そのため、組み立てた厚紙に美しい布を貼って作る、フランス生まれのカルトナージュ（手工芸品）の教室における教材として最適である。
【００４１】
ところで、本発明では、鏡面１０と第二の裏面板材１２との間に支持用板材１４を設けるため、第二の裏面板材１２と第一の裏面板材１１との段差が生じ、全体として凹凸感が生じる。そのため、例えば、図１２Ａに示すように、鏡面１０と第一の裏面板材１１との間に、第一の裏面板材１１と同一のサイズで、所定の厚みを有する調整用板材２４を設けることで、第一の裏面板材１１と第二の裏面板材１２との段差を無くし、全体としてフラット感を生じるように改良しても良い。調整用板材２４の厚みは、例えば、支持用板材１４と同一の厚みとするか、鏡面１０に対して支持用板材１４と第二の裏面板材１２とを重ねた時に第一の連結部材１８の存在も加味して、第一の裏面板材１１が第二の裏面板材１２と同じ面となるような厚みとすれば良い。
【００４２】
ここで、調整用板材２４を追加しても、図１２Ｂに示すように、本発明を違和感なく作成することが出来る。又、本発明の使用時において、調整用板材２４と第一の裏面板材１１と第二の裏面板材１２とが重なった状態となるが、設置面に対する鏡面１０の角度が変わることは無く、安定性は、調整用板材２４が無い場合と同様である。
【００４３】
又、本発明の表面板材１３の係止部１５は、上述では、複数の板材２１を所定の間隔を空けて直列に固定することで形成したが、これに限らず、例えば、図１２Ａに示すように、表面板材１３の裏面に、所定の間隔の凹部（溝部）を削り取って、複数の係止部１５をそれぞれ形成させても良い。板材２１を使用しないことで、折り畳み時（不使用時）の全体の厚みを薄くすることが可能となる。
【００４４】
尚、本発明では、ミラーに限らず、スマートフォンやタブレット端末装置等の携帯端末装置スタンドとしても利用可能である。近年、携帯端末装置に付属のカメラを用いて自分自身の姿を撮影する自撮りが人気であるが、自撮りを行う場合に、どうしても高さが必要となる。その際に、本発明では、携帯端末装置を高所にし、角度を変えることが出来るため、鏡面を携帯端末装置の設置用の台にするか、鏡面の上に携帯端末装置を載せることで、自撮りのミニ三脚として適すると考えられる。
【産業上の利用可能性】
【００４５】
以上のように、本発明に係る折り畳み式スタンドミラーは、商品はもちろん手芸教室等での個人作成商材として有用であり、手軽に鏡面を高所に位置させることが出来るとともに、ユーザーの操作により設置面に対する鏡面の角度を簡単に調整することが可能な折り畳み式スタンドミラーとして有効である。
【符号の説明】
【００４６】
１  折り畳み式スタンドミラー
１０  鏡面
１１  第一の裏面板材
１２  第二の裏面板材
１３  表面板材
１４  支持用板材
１５  係止部
１６  第一の着脱部材
１７  第二の着脱部材
１８  第一の連結部材
１９  第二の連結部材
２０  第三の連結部材
【図１】
2018164591.tif 000003
【図２】
2018164591.tif 000004
【図３】
2018164591.tif 000005
【図４】
2018164591.tif 000006
【図５】
2018164591.tif 000007
【図６】
2018164591.tif 000008
【図７】
2018164591.tif 000009
【図８】
2018164591.tif 000010
【図９】
2018164591.tif 000011
【図１０】
2018164591.tif 000012
【図１１】
2018164591.tif 000013
【図１２】
2018164591.tif 000014
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
長方形状の鏡面と、
一端部が、前記鏡面の長手方向の一端部に対応し、長手方向の長さが、前記鏡面の長手方向の長さの１／１０〜１／５の範囲内であり、前記鏡面の裏面に固定された第一の裏面板材と、
一端部が、前記第一の裏面板材の他端部と第一の連結部材により回動可能に連結され、前記鏡面の裏面のうち、前記第一の裏面板材が覆った部分以外の残りの部分を覆う第二の裏面板材と、
一端部が、前記第二の裏面板材の他端部と第二の連結部材により回動可能に連結され、前記鏡面の表面を覆う表面板材と、
前記第二の裏面板材と同等の形状を有し、一端部が、前記第二の裏面板材の一端部と第三の連結部材により回動可能に連結され、前記鏡面と前記第二の裏面板材との間に収納される支持用板材と、
前記表面板材の裏面に、前記表面板材の一端部から他端部までに所定の間隔を空けて、前記支持用板材の他端部を係止可能な凹状をそれぞれ形成している複数の係止部と、
前記第一の裏面板材の裏面に設けられた第一の着脱部材と、
前記第二の裏面板材の裏面で、且つ、前記第一の着脱部材に接近して設けられた第二の着脱部材と、
を備え、
使用時に、前記表面板材を前記第二の連結部材を介して前記鏡面の表面から開いて、前記第一の連結部材を回転軸として前記第一の裏面板材を前記第二の裏面板材に当接し、前記第一の着脱部材を前記第二の着脱部材に接着して、前記鏡面を立位させ、前記第三の連結部材を回転軸として前記支持用板材の他端部を、前記複数の係止部のいずれかに係止させることで、前記第二の裏面板材と前記支持用板材とを人の字状にして、前記鏡面を固定する
折り畳み式スタンドミラー。
【請求項２】
前記鏡面と前記第一の裏面板材との間に、前記第一の裏面板材と同一のサイズで、所定の厚みを有する調整用板材を設け、前記第一の裏面板材と前記第二の裏面板材との段差を無くした
請求項１に記載の折り畳み式スタンドミラー。